(57)【要約】【課題】プラスチック製の油圧式テンショナをエンジンブロックに取り付けた場合、エンジン運転時の微振動によって金属製ブシュが回転しないようにすること、テンショナボディと金属製ブシュとの固定状態が甘くなった場合、オイルリザーバ室の油圧による金属製ブシュを除く油圧式テンショナ全体の浮き上がりを防止することを目的とする。【解決手段】プラスチック製の油圧式テンショナ１は、高圧油室８に油を供給するオイルリザーバ室１６がテンショナの取付面側に形成されている。プラスチック製テンショナボディ２には、油圧式テンショナをエンジンブロック２１に取り付けるためのボルト２２が挿入される金属製ブシュ１７がインサート成形により設けられる。金属製ブシュ１７の外周面には、ブシュの軸方向と平行な平坦面１９が少なくとも１つ形成され、平坦面１９に突出係合部２０が形成されている。【選択図】図４
2007040472.tif 000002
【特許請求の範囲】
【請求項１】
プラスチック製テンショナボディに設けられたシリンダと、該シリンダの内部に圧縮ばねにより付勢されてテンショナボディから先端が突出可能に挿入されたプランジャと、該プランジャに形成された中空部及びテンショナボディ内における底部で形成された高圧油室と、該底部に設けられたチェックバルブ機構と、該高圧油室に油を供給するオイルリザーバ室とを備え、該オイルリザーバ室がテンショナの取付面側に形成されてなるプラスチック製の油圧式テンショナにおいて、
前記プラスチック製テンショナボディには、油圧式テンショナをエンジンブロックに取り付けるためのボルトが挿入される金属製ブシュがインサート成形により設けられ、該金属製ブシュの外周面には、ブシュの軸方向と平行な平坦面又は凹溝が少なくとも１つ形成され、該平坦面又は凹溝に突出係合部が形成されていることを特徴とするプラスチック製の油圧式テンショナ。
【請求項２】
前記突出係合部は、前記金属製ブシュの前端側における前記平坦面又は凹溝に形成されていることを特徴とする請求項１記載のプラスチック製の油圧式テンショナ。
【発明の詳細な説明】
【技術分野】
【０００１】
本発明は、自動車エンジンのタイミングチェーンに適正な張力を付与する場合に使用される油圧式テンショナに関し、特に、油圧式テンショナをエンジンブロックに取り付けるボルトが挿入される金属製ブシュがプラスチック製テンショナボディにインサート成形により設けられているプラスチック製の油圧式テンショナに関する。
【背景技術】
【０００２】
油圧式テンショナは、一般に、鋳鉄、アルミニウム合金等金属製品からなるテンショナボディ内に鉄系のプランジャを摺動自在に挿入して形成されている。この油圧式テンショナは、テンショナボディが鋳鉄又はアルミニウム合金などの金属製であるため質量が大きい、という問題がある。かかる問題を解決するため、テンショナボディをプラスチック製のものとし、更なる軽量化を図ったプラスチック製の油圧式テンショナが提案されている（例えば、特許文献１参照。）。しかし、特許文献１に開示されているプラスチック製のテンショナは、油圧式テンショナ自体の構造がシンプルでなく製作が容易でない。
【０００３】
上記のような事情に鑑みて、構造をシンプルとすると共に、製作を容易にするため、従来、次のようなプラスチック製の油圧式テンショナが使用されている。この従来の油圧式テンショナ（図示略）は、主要部の構造が本発明の油圧式テンショナ１と同じであり、油圧式テンショナをエンジンブロックに取り付けるためのボルトが挿入される金属製ブシュの形状が異なっている。
【０００４】
そこで、従来のプラスチック製の油圧式テンショナにおける主要部の構造を、便宜上、図１、図３を参照し同一符号を付して以下説明する。従来のプラスチック製の油圧式テンショナは、プラスチック製テンショナボディ２にインサート成形により金属製シリンダ３を設け、この金属製シリンダ３の内部に摺動自在にプランジャ４を設けたものである。プランジャ４の中空部５には、プランジャ４を前端側に付勢してテンショナボディ２から突出させるためのコイル状圧縮ばね６が収容されている。
【０００５】
また、この油圧式テンショナには、プランジャ４とテンショナボディ２の内部に形成された底部７とで高圧油室８が形成され、高圧油室８の底部７には、高圧油室８に油の流入を許容するが逆流を阻止するチェックバルブ機構９が設けられている。高圧油室８に油を常時供給できるようにするため、油圧式テンショナの取付面側にオイルリザーバ室１６が形成されている。また、テンショナボディ２には、油圧式テンショナをエンジンブロック２１に取り付けるボルト２２が挿入される金属製ブシュ２６がインサート成形により設けられている。
【０００６】
上記構成からなる油圧式テンショナは、常時、高圧油室８内がオイルリザーバ室１６から供給される油によって満たされている。走行するチェーンが緩むと圧縮ばね６の付勢力によりテンショナボディ２からプランジャ４が突出すると同時に、チェックバルブ機構９が開放して油が高圧油室８にオイルリザーバ室１６から流入する。また、走行するチェーンが緊張し、その衝撃力によってプランジャ４がシリンダ３内に押し込まれると、チェックバルブ機構９が閉じてプランジャ４の後退が阻止される。
【特許文献１】特開平１１−２２３２５２号公報
【発明の開示】
【発明が解決しようとする課題】
【０００７】
前記従来のプラスチック製油圧式テンショナは、テンショナをエンジンブロック２１に固定するボルト２２が挿入される金属製ブシュ２６がプラスチック製テンショナボディ２にインサート成形により設けられたものである。ここで、ブシュ２６は、ブシュ自体又はエンジンブロック側の座屈を防止するため、更には安定した締め付け状態を維持するためにボルト座面以上の外径が必要である。このブシュ２６は、図１３に示すように、外周面に凹凸などのない平滑なものであるため、エンジン運転時の微振動によってプラスチック製テンショナボディ２と金属製ブシュ２６との固定状態が甘くなり、金属製ブシュ２６が回転し，それにつれてボルト２２も回転して緩む恐れがある、という問題がある。また、プラスチック製テンショナボディ２と金属製ブシュ２６との固定状態が甘くなると、エンジン運転時の微振動及びオイルリザーバ室１６の油圧によって、図１４に示すように、エンジンブロック２１に固定された金属製ブシュ２６とボルト２２を残して油圧式テンショナ全体がエンジンブロック２１の取付面から浮き上がり、オイルリザーバ室１６からのオイル漏れが発生し油圧式テンショナに十分なオイルを供給することができず、保持力不足によるチェーンのバタツキ音が発生する、という問題がある。なお、図１４における符号ｄは浮き上がり量である。
【０００８】
そこで、本発明は、前述したような問題点を解決し、プラスチック製テンショナボディからなるテンショナ取付面側にオイルリザーバ室が形成されているプラスチック製の油圧式テンショナにおいて、油圧式テンショナがエンジンブロックに取り付けられた場合、エンジン運転時の微振動によっても、プラスチック製テンショナボディにインサート成形により設けられた金属製ブシュが回転しないようにすること、テンショナボディと金属製ブシュとの固定状態がエンジン運転時の微振動によって甘くなった場合でも、オイルリザーバ室の油圧によって金属製ブシュを除く油圧式テンショナ全体が浮き上がらないようにし、オイルリザーバ室からのオイル漏れが生じないようにすることを目的とする。
【課題を解決するための手段】
【０００９】
前記課題の解決手段として、請求項１に係る本発明は、プラスチック製テンショナボディに設けられたシリンダと、該シリンダの内部に圧縮ばねにより付勢されてテンショナボディから先端が突出可能に挿入されたプランジャと、該プランジャに形成された中空部及びテンショナボディ内における底部で形成された高圧油室と、該底部に設けられたチェックバルブ機構と、該高圧油室に油を供給するオイルリザーバ室とを備え、該オイルリザーバ室がテンショナの取付面側に形成されてなるプラスチック製の油圧式テンショナにおいて、前記プラスチック製テンショナボディには、油圧式テンショナをエンジンブロックに取り付けるためのボルトが挿入される金属製ブシュがインサート成形により設けられ、該金属製ブシュの外周面には、ブシュの軸方向と平行な平坦面又は凹溝が少なくとも１つ形成され、該平坦面又は凹溝に突出係合部が形成されているプラスチック製の油圧式テンショナ、という構成としたものである。
【００１０】
請求項２に係る本発明は、前記請求項１に係るプラスチック製の油圧式テンショナにおいて、前記突出係合部は、前記金属製ブシュの前端側における前記平坦面又は凹溝に形成されている、という構成としたものである。
【発明の効果】
【００１１】
請求項１に係る本発明によれば、プラスチック製テンショナボディには、油圧式テンショナをエンジンブロックに取り付けるためのボルトが挿入される金属製ブシュがインサート成形により設けられ、該金属製ブシュの外周面には、ブシュの軸方向と平行な平坦面又は凹溝が少なくとも１つ形成され、該平坦面又は凹溝に突出係合部が形成されているので、インサート成形時にテンショナボディの樹脂材は、平坦面又は凹溝に入り込むと共に、突出係合部が樹脂材に入り込んで、金属製ブシュを強固に固定し、エンジン運転時の微振動によっても金属製ブシュの回転を防止し、それに伴うボルトの緩みを防止することができる。
【００１２】
また、エンジン運転時の微振動によって、テンショナボディと金属製ブシュとの固定状態が甘くなった場合でも、突出係合部が樹脂材に入り込んでいるので、オイルリザーバ室の油圧を受けても、油圧式テンショナ（金属製ブシュを除く）の浮き上がりを防止することができる。これによって、オイルリザーバ室からのオイル漏れを防止し、高圧油室に十分なオイル供給が可能となり、プランジャの保持力不足によるチェーンのバタツキ異音発生を防止することができる。
【００１３】
請求項２に係る本発明によれば、突出係合部は、金属製ブシュの前端側における前記平坦面又は凹溝に形成されているので、突出係合部の形成において、平坦面又は凹溝の切削加工時に、金属製ブシュの前端側を残して切削加工すればよいため、突出係合部を簡単に形成することができる。また、突出係合部が金属製ブシュの前端側に形成されているので、油圧式テンショナ全体の浮き上がりを確実に防止することができる。
【発明を実施するための最良の形態】
【００１４】
本発明の実施例１を図１〜図９に基づいて説明する。図１に示すように、プラスチック製の油圧式テンショナ１は、プラスチック製テンショナボディ２の内部にインサート成形により金属製シリンダ３及び金属製ブシュ１７を設けたものである。
【００１５】
プラスチック製テンショナボディ２の内部に設けられた金属製シリンダ３の内部には、摺動自在にプランジャ４が挿入されている。プランジャ４は、その内部に後端部が開口する中空部５を有し、この中空部５には、プランジャ４を前端側に付勢するコイル状の圧縮ばね６が収容されている。プランジャ４は、圧縮ばね６の付勢力によりテンショナボディ２の前端から突出し、走行するチェーン（図示略）に適正な張力を付与する。
【００１６】
また、中空部５と、シリンダ３と、シリンダ３の下方でテンショナボディ２の内部に形成された底部７とで高圧油室８が形成されている。この高圧油室８の底部７には、高圧油室８に油の流入を許容するが逆流を阻止するチェックバルブ機構９が設けられている。チェックバルブ機構９は、ボールガイド１０、圧縮ばね６を支持するリテーナ１３、ボールシート１１、ボールシート１１に形成された油流入透孔を塞ぐチェックボール１２等で構成される。高圧油室８に油を供給するオイルリザーバ室１６が油圧式テンショナ１の取付面側におけるテンショナボディ２に形成されている。なお、同図中の符号１４，１５はオイルリザーバ室１６からの油流入路である。
【００１７】
プラスチック製テンショナボディ２には、油圧式テンショナ１をエンジンブロック２１に取り付けるためのボルト２２が挿入される孔１８を有する金属製ブシュ１７がインサート成形により設けられている。金属製ブシュ１７は、図４、図７〜図９に示すように、その外周面には、ブシュの軸方向と平行な平坦面１９が少なくとも１つ形成され、金属製ブシュ１７の前端側における平坦面１９には突出係合部２０が形成されている。
【００１８】
上記構成からなるプラスチック製の油圧式テンショナ１の作用効果は以下のとおりである。油圧式テンショナ１の高圧油室８内は、オイルリザーバ室１６、油流入路１４，１５、チェックバルブ機構９等を経由して供給される油によって常時満たされている。このオイルリザーバ室１６は、油圧式テンショナ１がエンジンブロック２１に取り付けられた状態で密閉されたものとなり、オイルリザーバ室１６には外部ポンプにより油が加圧状態で供給される。走行するチェーンが緩むと圧縮ばね６により金属製シリンダ３の前端からプランジャ４が突出する。このとき同時にチェックバルブ機構９が開放して油が高圧油室８に流入する。また、チェーンが緊張してプランジャ４が金属製シリンダ３内に向けて押圧されると、ボールシート１１の油流入透孔をチェックボール１２が圧接して塞ぎ、チェックバルブ機構９が閉じられる。
【００１９】
そして、油圧式プラスチック製テンショナ１がエンジンブロック２１に取り付けられた場合、金属製ブシュ１７の外周面にブシュ軸方向と平行な平坦面１９が形成されていると共に、平坦面１９に突出係合部２０が形成されていることにより、インサート成形時にテンショナボディ２の樹脂材が、平坦面１９に入り込むと共に、突出係合部２０が樹脂材に入り込んで、金属製ブシュ１７を回転し難くして強固に固定しているので、エンジン運転時の微振動によっても金属製ブシュ１７の回転を防止し、それに伴ってボルト２２の緩みも防止することができる。
【００２０】
また、エンジン運転時の微振動によって、テンショナボディ２と金属製ブシュ１７との固定状態が甘くなった場合でも、突出係合部２０が樹脂材に入り込んでいるので、オイルリザーバ室１６の油圧を受けても、油圧式テンショナ１（金属製ブシュ１７を除く）の浮き上がりを防止することができる。これによって、オイルリザーバ室１６からのオイル漏れを防止し、高圧油室８に十分なオイル供給が可能となり、プランジャ４の保持力不足によるチェーンのバタツキ異音発生を防止することができる。
【００２１】
突出係合部２０が金属製ブシュ１７の前端側における平坦面１９に形成されている場合、突出係合部２０の形成において、平坦面１９の切削加工時に、金属製ブシュ１７の前端側を残して切削加工すればよいため、突出係合部２０を簡単に形成することができる。また、突出係合部２０が金属製ブシュ１７の前端側に形成されているので、油圧式テンショナの浮き上がりを確実に防止することができる。
【００２２】
実施例２を図１０〜図１２に基づいて説明する。実施例２のプラスチック製の油圧式テンショナ（図示略）は、前記実施例１のプラスチック製の油圧式テンショナ１における金属製ブシュ１７に代えて別の金属製ブシュ２３を用いたものである。前記実施例１と同様に、プラスチック製の油圧式テンショナは、プラスチック製テンショナボディにインサート成形により金属製ブシュ２３が設けられたものである。
【００２３】
金属製ブシュ２３は、図１１、図１２に示すように、外周面にブシュ軸方向と平行な凹溝２４が切削加工により少なくとも１つ形成され、金属製ブシュ２３の前端側における凹溝２４には、突出係合部２５が形成されている。凹溝２４に突出係合部２５を形成する場合は、突出係合部２５となる部分を切削しないように残して凹溝２４を切削加工して形成する。なお、凹溝２４は図１２に示すような断面半円形状のものでもよいが、四角形状のものでも構わない。
【００２４】
金属製ブシュ２３を設けた油圧式プラスチック製テンショナが、エンジンブロック２１に取り付けられた場合、金属製ブシュ２３の外周面にブシュ軸方向と平行な凹溝２４が形成されていると共に、凹溝２４に突出係合部２５が形成されていることにより、インサート成形時にテンショナボディ２の樹脂材が、凹溝２４に入り込むと共に、突出係合部２５が樹脂材に入り込んで、金属製ブシュ２３を強固に固定しているので、エンジン運転時の微振動によっても金属製ブシュ２３の回転を防止し、それに伴ってボルト２２の緩みも防止することができる。
【００２５】
また、エンジン運転時の微振動によって、テンショナボディ２と金属製ブシュ２３との固定状態が甘くなった場合でも、突出係合部２５が樹脂材に入り込んでいるので、オイルリザーバ室１６の油圧を受けても、油圧式テンショナ（金属製ブシュ２３を除く）の浮き上がりを防止することができる。これによって、オイルリザーバ室１６からのオイル漏れを防止し、高圧油室８に十分なオイル供給が可能となり、プランジャ４の保持力不足によるチェーンのバタツキ異音発生を防止することができる。
【００２６】
突出係合部２５が金属製ブシュ２３の前端側における凹溝２３に形成されている場合、突出係合部２５の形成において、凹溝２３の切削加工時に、金属製ブシュ２３の前端側を残して切削加工すればよいため、突出係合部２５を簡単に形成することができる。また、突出係合部２５が金属製ブシュ２３の前端側に形成されているので、油圧式テンショナの浮き上がりを確実に防止することができる。
【００２７】
以上各実施例について説明したが、本発明の金属製ブシュは、スチール系、アルミニウム系の金属製品であり、ブシュの軸方向と平行な平坦面又は凹溝、及び突出係合部を形成する手段として、切削加工により平坦面又は凹溝を形成し、この切削加工時に一部を残して切削加工することにより突出係合部を形成する手段以外に、平行な平坦面、凹溝、及び突出係合部等はブシュの製作時に切削加工を行わないダイカスト、鍛造で形成しても構わない。
【図面の簡単な説明】
【００２８】
【図１】本発明実施例１のプラスチック製の油圧式テンショナの断面図である。
【図２】油圧式テンショナの正面図である。
【図３】油圧式テンショナの取付面側を示す裏面図である。
【図４】油圧式テンショナ（プランジャ図示略）の取付状態を示す説明図である。
【図５】油圧式テンショナの正面側斜視図である。
【図６】油圧式テンショナの取付面側斜視図である。
【図７】金属製ブシュの平面図である。
【図８】金属製ブシュの断面図である。
【図９】金属製ブシュの底面図である。
【図１０】実施例２における金属製ブシュの平面図である。
【図１１】金属製ブシュの断面図である。
【図１２】金属製ブシュの底面図である。
【図１３】従来の油圧式テンショナ（プランジャ図示略）の取付状態説明図である。
【図１４】油圧式テンショナの浮き上がり状態を示す説明図である。
【符号の説明】
【００２９】
１    プラスチック製の油圧式テンショナ    ２    テンショナボディ
３    金属製シリンダ                      ４    プランジャ
５    中空部                              ６    コイル状の圧縮ばね
７    底部                                ８    高圧油室
９    チェックバルブ機構                  １０  ボールガイド
１１  ボールシート                        １２  チェックボール
１３  リテーナ                            １４  油流入路
１５  油流入路                            １６  オイルリザーバ室
１７  金属製ブシュ                        １８  孔
１９  平坦面                              ２０  突出係合部
２１  エンジンブロック                    ２２  ボルト
２３  金属製ブシュ                        ２４  凹溝
２５  突出係合部
【図１】
2007040472.tif 000003
【図２】
2007040472.tif 000004
【図３】
2007040472.tif 000005
【図４】
2007040472.tif 000006
【図５】
2007040472.tif 000007
【図６】
2007040472.tif 000008
【図７】
2007040472.tif 000009
【図８】
2007040472.tif 000010
【図９】
2007040472.tif 000011
【図１０】
2007040472.tif 000012
【図１１】
2007040472.tif 000013
【図１２】
2007040472.tif 000014
【図１３】
2007040472.tif 000015
【図１４】
2007040472.tif 000016